(57)【特許請求の範囲】
【請求項１】
射出装置から未加硫のゴムストリップ材を押し出しつつ該ゴムストリップ材を成形ドラムに巻付ける方法において、前記ゴムストリップ材をガイドロールを用いて張力を与えながら前記成形ドラムに押し付けると共に、前記ガイドロールと前記射出装置の押出口との間にゴムストリップ材の押出量の変動を吸収するための空間を形成し、前記ゴムストリップ材の押出に合わせて前記成形ドラムを回転させて前記ガイドロールを従動させ、該ガイドロールで案内されたゴムストリップ材を前記成形ドラムに巻付けるゴムストリップ材の巻付け方法であって、前記ゴムストリップ材の巻付け終期に、前記ガイドロールを前記成形ドラムから離し、前記成形ドラムと前記ガイドロールとの間に隙間を形成し、該隙間内で前記ゴムストリップ材を切断するようにしたゴムストリップ材の巻付け方法。
【請求項２】
前記ゴムストリップ材の切断端をプレスロールを用いて前記成形ドラムに押し付けるようにした請求項１に記載のゴムストリップ材の巻付け方法。
【請求項３】
射出装置から未加硫のゴムストリップ材を押し出しつつ該ゴムストリップ材を成形ドラムに巻付ける装置において、前記射出装置と前記成形ドラムとの間に、前記ゴムストリップ材の供給路に沿って伸縮自在なアーム部材を介してガイドロールを配設し、前記アーム部材の伸長時に、前記ゴムストリップ材を前記ガイドロールで張力を与えながら前記成形ドラムに押し付けると共に、前記ガイドロールと前記射出装置の押出口との間にゴムストリップ材の押出量の変動を吸収するための空間を形成するようにしたゴムストリップ材の巻付け装置であって、前記アーム部材の収縮時に、前記成形ドラムと前記ガイドロールとの間に隙間を形成するようにし、該隙間内で前記ゴムストリップ材を切断する切断装置を設けたゴムストリップ材の巻付け装置。
【請求項４】
前記ガイドロールの近傍に前記ゴムストリップ材の切断端を前記成形ドラムに押し付けるプレスロールを設けた請求項３に記載のゴムストリップ材の巻付け装置。
【発明の詳細な説明】
【０００１】
【発明の属する技術分野】
本発明は、空気入りタイヤの製造においてゴムストリップ材を成形ドラムに巻付ける方法及び装置に関し、更に詳しくは、ゴムストリップ材の巻付け精度を高めるようにしたゴムストリップ材の巻付け方法及び巻付け装置に関する。
【０００２】
【従来の技術】
空気入りタイヤを製造する方法として、射出装置から未加硫のゴムストリップ材を連続的に供給すると共に、該ゴムストリップ材を成形ドラムに巻付け、その積層構造に基づいてキャップトレッド、アンダートレッド、サイドトレッド、リムクッションゴム等のタイヤ構成部材を成形することが行われている。
【０００３】
このようにタイヤ構成部材を直接成形することにより、タイヤの製造効率を向上することができると共に、予め成形したタイヤ構成部材を保管する必要がないため、省スペース化も図ることができ、その結果、タイヤの製造コストを大きく低減することができるという利点がある。
【０００４】
しかしながら、射出装置から押し出される初期のゴムストリップ材はオーバーシュートを起こしやすく、不安定な出方をするので、成形ドラムに対して精度良く巻付けることが極めて困難であった。このようにゴムストリップ材の巻付け精度が悪いと、空気入りタイヤの品質が不安定になってしまうのである。
【０００５】
【発明が解決しようとする課題】
本発明の目的は、ゴムストリップ材の押出量の変動を射出装置と成形ドラムとの間で吸収し、それによってゴムストリップ材を精度良く巻付けることを可能にしたゴムストリップ材の巻付け方法及び巻付け装置を提供することにある。
【０００６】
【課題を解決するための手段】
上記目的を達成するための本発明のゴムストリップ材の巻付け方法は、射出装置から未加硫のゴムストリップ材を押し出しつつ該ゴムストリップ材を成形ドラムに巻付ける方法において、前記ゴムストリップ材をガイドロールを用いて張力を与えながら前記成形ドラムに押し付けると共に、前記ガイドロールと前記射出装置の押出口との間にゴムストリップ材の押出量の変動を吸収するための空間を形成し、前記ゴムストリップ材の押出に合わせて前記成形ドラムを回転させて前記ガイドロールを従動させ、該ガイドロールで案内されたゴムストリップ材を前記成形ドラムに巻付けるゴムストリップ材の巻付け方法であって、前記ゴムストリップ材の巻付け終期に、前記ガイドロールを前記成形ドラムから離し、前記成形ドラムと前記ガイドロールとの間に隙間を形成し、該隙間内で前記ゴムストリップ材を切断するようにしたことを特徴とするものである。
【０００７】
このようにゴムストリップ材をガイドロールを用いて張力を与えながら成形ドラムに押し付けると共に、ガイドロールと射出装置の押出口との間にゴムストリップ材の押出量の変動を吸収するための空間を形成することにより、押出初期等においてゴムストリップ材の押出量が不安定であっても、そのバラツキを前記空間で吸収することができ、ガイドロールで案内されたゴムストリップ材を成形ドラムに対して精度良く巻付けることができる。また、ガイドロールとゴムストリップ材との接触角を十分に大きくすれば、優れたガイド機能を発揮することができ、巻付け精度を更に高めることができる。
【０００８】
一方、上記目的を達成するための本発明のゴムストリップ材の巻付け装置は、射出装置から未加硫のゴムストリップ材を押し出しつつ該ゴムストリップ材を成形ドラムに巻付ける装置において、前記射出装置と前記成形ドラムとの間に、前記ゴムストリップ材の供給路に沿って伸縮自在なアーム部材を介してガイドロールを配設し、前記アーム部材の伸長時に、前記ゴムストリップ材を前記ガイドロールで張力を与えながら前記成形ドラムに押し付けると共に、前記ガイドロールと前記射出装置の押出口との間にゴムストリップ材の押出量の変動を吸収するための空間を形成するようにしたゴムストリップ材の巻付け装置であって、前記アーム部材の収縮時に、前記成形ドラムと前記ガイドロールとの間に隙間を形成するようにし、該隙間内で前記ゴムストリップ材を切断する切断装置を設けたことを特徴とするものである。
【０００９】
本発明において、ゴムストリップ材の巻付け終期に、ガイドロールを成形ドラムから離し、成形ドラムとガイドロールとの間に隙間を形成し、該隙間内でゴムストリップ材を切断することにより、ゴムストリップ材の切断端がガイドロール上に残存するため、次回の巻付け作業を連続して行うことができる。しかも、次回の巻付け作業では、巻付け初期からゴムストリップ材に張力が与えられるので、ゴムストリップ材を精度良く巻付けることができる。その装置としては、アーム部材の収縮時に、成形ドラムとガイドロールとの間に隙間を形成するようにし、該隙間内でゴムストリップ材を切断する切断装置を付設すれば良い。
【００１０】
また、ガイドロールの近傍にゴムストリップ材の切断端を成形ドラムに押し付けるプレスロールを設け、該プレスロールで切断端を成形ドラムに押し付けるようにすれば、ゴムストリップ材の切断端が乱れるのを防止することができる。
【００１１】
【発明の実施形態】
以下、本発明を添付の図面を参照しながら詳細に説明する。
【００１２】
図１〜図３は本発明の実施形態からなるストリップ材の巻付け装置を示すものである。本実施形態の巻付け装置は、射出装置１を成形ドラムＤの外周面に対向するように配設し、この射出装置１を成形ドラムＤの軸方向に対して往復移動させる構成になっている。射出装置１の押出機構は特に限定されるものではないが、１タイヤ分のタイヤ構成部材を正確かつ定量的に押し出すために、プランジャータイプの定量押出機を用いると良い。
【００１３】
射出装置１は、その前面プレート２に押出口３を有し、該押出口３からゴムストリップ材Ｓを連続的に押し出すようになっている。前面プレート２には左右一対のアーム部材４，４が成形ドラムＤに向けて水平方向に立設されている。アーム部材４は前面プレート２に取り付けられた固定部４ａと、該固定部４ａからストリップ材Ｓの供給路に沿って伸縮自在な可動部４ｂとから構成され、その伸縮動作をエアシリンダ等で行うようになっている。
【００１４】
各アーム部材４の可動部４ｂの側面にはブラケット５が取り付けられている。そして、アーム部材４の先端側には、左右一対のブラケット５，５に跨がって取り付けられた軸受け部材６を介してガイドロール７が軸支されている。このガイドロール７の回転軸の両端部には係止部材７ａが取り付けられている。また、ガイドロール７は成形ドラムＤに従動して一方向に回転するものの、その逆方向の回転は規制されている。そのため、ガイドロール７は射出装置１から供給されるゴムストリップ材Ｓに対して張力を与えることが可能である。
【００１５】
図２に示すように、アーム部材４の伸長時には、ゴムストリップ材Ｓをガイドロール７で張力を与えながら成形ドラムＤに押し付けると共に、ガイドロール７と射出装置１の押出口３との間にゴムストリップ材Ｓを押出量の変動を吸収するための空間を形成するようになっている。押出初期のオーバーシュートを吸収するために、前記空間の長さは１００〜２００ｍｍにすると良い。一方、図３に示すように、アーム部材４の収縮時には、成形ドラムＤとガイドロール７との間に隙間を形成するようになっている。
【００１６】
アーム部材４の先端部には、ゴムストリップ材Ｓを成形ドラムＤとガイドロール７との間で切断するための切断装置８が設けられている。即ち、各アーム部材４の可動部４ｂの端面にはブラケット９が取り付けられ、このブラケット９にロータリーアクチュエータ１０が搭載されている。ロータリーアクチュエータ１０の回転軸１０ａはカップリング１１を介して旋回翼１２の回転軸１２ａに連結されている。この回転軸１２ａは軸受け１３により軸支されている。旋回翼１２にはブラケット１４が連結されている。そして、左右一対のブラケット１４，１４に跨がってカッターとなるワイヤ１５が張設されている。
【００１７】
上記切断装置８は、ロータリーアクチュエータ１０の駆動により図３の破線にて示す軌道Ｘに沿ってワイヤ１５を回動させ、それによりゴムストリップ材Ｓを成形ドラムＤとガイドロール７との間で切断するようになっている。
【００１８】
ガイドロール７の下方側には、伸縮自在なロッド１６ａを備えたシリンダ１６がブラケット１７を介して前面プレート２に取り付けられている。このロッド１６ａの先端部には軸受け部材１８を介してプレスロール１９が軸支されている。プレスロール１９の回転軸の両端部には係止部材１９ａが取り付けられている。このプレスロール１９はゴムストリップ材Ｓを成形ドラムＤに対して常に押圧するものである。
【００１９】
次に、上述したゴムストリップ材の巻付け装置の動作について説明する。先ず、射出装置１の押出口３からストリップ材Ｓを所定の長さで押し出し、その先端部をガイドロール７上にセットする。このとき、ストリップ材Ｓの長さは成形ドラムＤに対して貼付け可能な長さとする。
【００２０】
次に、図２に示すように、アーム部材４を伸長状態にすることにより、ゴムストリップ材Ｓをガイドロール７で張力を与えながら成形ドラムＤに押し付けると共に、ガイドロール７と射出装置１の押出口３との間にゴムストリップ材Ｓの押出量の変動を吸収するための空間を形成する。次いで、ゴムストリップ材Ｓの押出に合わせて成形ドラムＤを回転させ、該成形ドラムＤにゴムストリップ材Ｓを介して当接するガイドロール７を従動回転させる。これにより、ガイドロール７で案内されたゴムストリップ材Ｓを成形ドラムＤの外周面に巻付ける。
【００２１】
上述のようにゴムストリップ材Ｓをガイドロール７を用いて張力を与えながら成形ドラムＤに押し付け、ガイドロール７と射出装置１の押出口３との間に空間を形成することにより、押出初期等においてゴムストリップ材Ｓが不安定な出方をしても、そのバラツキをガイドロール７と押出口３との間の空間で吸収することができる。即ち、ゴムストリップ材Ｓには張力が与えられているので、オーバーシュートを起こしてもゴムストリップ材Ｓが曲がったり、波打ったりすることはない。従って、射出装置１を用いたストリップワインディング成形法において、ゴムストリップ材Ｓを精度良く巻付けることができる。
【００２２】
図３に示すように、巻付けが終わる直前においては、アーム部材４を収縮状態にすることにより、ガイドロール７を成形ドラムＤから離し、成形ドラムＤとガイドロール７との間に隙間を形成する。そして、切断装置８のワイヤ１５を回動させることにより、ゴムストリップ材Ｓを成形ドラムＤとガイドロール７との間で切断する。
【００２３】
上述のようにゴムストリップ材Ｓを成形ドラムＤとガイドロール７との間の隙間内で切断することにより、ゴムストリップ材Ｓの切断端がガイドロール７上に残存するようになる。そのため、次回の巻付け作業を開始する際にゴムストリップ材Ｓを手作業でガイドロール７上に導く必要がなくなり、複数回の巻付け作業を連続して行うことができる。しかも、次回の巻付け作業では、再びガイドロール７を成形ドラムＤ側へ移動させることにより、巻付け初期からゴムストリップ材Ｓに張力が付与されるので、ゴムストリップ材Ｓを精度良く巻付けることができる。
【００２４】
また、ゴムストリップ材Ｓの切断に際して、その切断端をプレスロール１９で成形ドラムＤに押し付けているので、ゴムストリップ材Ｓの切断端が乱れるのを防止し、巻付け精度を更に高めることができる。
【００２５】
本発明では、ゴムストリップ材Ｓの成形ドラムＤに対する巻付け回数と、成形ドラムＤの軸方向への移動量を制御することにより、成形ドラムＤの外周側に所望の断面形状を有するタイヤ構成部材を成形することができ、これらタイヤ構成部材を精度良く成形することが可能になる。上記タイヤ構成部材としては、空気入りタイヤのキャップトレッド、アンダートレッド、サイドトレッド、リムクッションゴム等を挙げることができる。
【００２６】
【発明の効果】
以上説明したように本発明によれば、ゴムストリップ材をガイドロールを用いて張力を与えながら成形ドラムに押し付けると共に、ガイドロールと射出装置の押出口との間にゴムストリップ材の押出量の変動を吸収するための空間を形成し、ゴムストリップ材の押出に合わせて成形ドラムを回転させてガイドロールを従動させ、該ガイドロールで案内されたゴムストリップ材を成形ドラムに巻付けるから、押出初期等においてゴムストリップ材の押出量が不安定であっても、そのバラツキを前記空間で吸収することができ、ゴムストリップ材を精度良く巻付けることができる。また、ゴムストリップ材の巻付け終期に、ガイドロールを成形ドラムから離し、成形ドラムとガイドロールとの間に隙間を形成し、該隙間内でゴムストリップ材を切断することにより、ゴムストリップ材の切断端がガイドロール上に残存するため、次回の巻付け作業を連続して行うことができ、しかも、次回の巻付け作業では、巻付け初期からゴムストリップ材に張力が与えられるので、ゴムストリップ材を精度良く巻付けることができる。
【図面の簡単な説明】
【図１】本発明の実施形態からなるストリップ材の巻付け装置の要部を示す拡大正面図である。
【図２】本発明の実施形態からなるストリップ材の巻付け装置（巻付け時）を示す側面図である。
【図３】本発明の実施形態からなるストリップ材の巻付け装置（切断時）を示す側面図である。
【符号の説明】
１  射出装置
２  前面プレート
３  押出口
４  アーム部材
７  ガイドロール
８  切断装置
１９  プレスロール
Ｄ  成形ドラム
Ｓ  ゴムストリップ材
【図１】
0004375866.tif 000002
【図２】
0004375866.tif 000003
【図３】
0004375866.tif 000004